(57)【要約】【課題】第２フランジ部を有する移動体を連続媒体の幅に応じて移動させる操作を、簡易に行うことができる巻取り装置を提供する。【解決手段】連続媒体が巻き取られる巻取りコア部２１３と、巻取りコア部２１３に設けられた第１フランジ部２１５と、係合部２７９と第２フランジ部２１９とを有し、巻取りコア部２１３の延在方向に移動可能な移動体２５１と、係合部２７９と係合して移動体２５１を巻取りコア部２１３の延在方向に位置決めする位置決め部２３７と、移動体２５１が、係合部２７９が位置決め部２３７と係合する位置よりも第１フランジ部２１５に近づいたときに、移動体２５１に対して第１フランジ部２１５から遠ざかる方向に力を付与し、係合部２７９が位置決め部２３７と係合する位置まで、移動体２５１を遠ざかる方向に移動させるフランジ持上げバネ２５４とを備えた。【選択図】図７
2020131555.tif 000002
【特許請求の範囲】
【請求項１】
連続媒体が巻き取られる巻取りコア部と、
前記巻取りコア部に設けられた第１フランジ部と、
係合部と、前記巻取りコア部に巻き取られる前記連続媒体を前記第１フランジ部との間で前記連続媒体の幅方向にガイドする第２フランジ部と、を有し、前記巻取りコア部の延在方向に移動可能な移動体と、
前記巻取りコア部に設けられ、前記係合部と係合して前記移動体を前記巻取りコア部の延在方向に位置決めする位置決め部と、
前記移動体が、前記係合部と前記位置決め部とが係合する位置よりも前記第１フランジ部に近づいたときに、前記移動体に対して前記第１フランジ部から遠ざかる方向に力を付与し、前記係合部と前記位置決め部とが係合する位置まで、前記移動体を前記遠ざかる方向に移動させる弾性部材と、
を備えたことを特徴とする巻取り装置。
【請求項２】
前記位置決め部は、前記巻取りコア部の延在方向に複数設けられ、
複数の前記位置決め部は、前記係合部が複数の前記位置決め部の相互間で前記巻取りコア部の延在方向に移動可能な程度に、それぞれが間隔をあけて設けられていることを特徴とする請求項１に記載の巻取り装置。
【請求項３】
前記係合部が設けられたレバー、を備え、
前記レバーを操作することで、前記係合部が、前記位置決め部と係合する係合位置と、前記位置決め部と係合しない非係合位置と、に移動することを特徴とする請求項１または２に記載の巻取り装置。
【請求項４】
前記移動体と、前記弾性部材と、挿入体と、を有し、前記巻取りコア部に対して着脱可能な巻取り取付体、を備え、
前記巻取りコア部には、前記巻取りコア部の延在方向に延在し、前記巻取り取付体が前記巻取りコア部に取り付けられる際に、前記挿入体が挿入される挿入部、が設けられ、
前記移動体は、前記挿入体が前記挿入部に挿入され、前記挿入部の底面に突き当たった後、前記弾性部材を弾性変形させながら、前記第１フランジ部に近づく方向に移動可能であることを特徴とする請求項１ないし３のいずれか一項に記載の巻取り装置。
【請求項５】
前記巻取りコア部には、前記連続媒体の先端部が挿入される媒体挿入部が設けられていることを特徴とする請求項１ないし４のいずれか一項に記載の巻取り装置。
【発明の詳細な説明】
【技術分野】
【０００１】
本発明は、連続媒体を巻き取る巻取り装置に関するものである。
【背景技術】
【０００２】
従来、特許文献１が開示するように、内筒と、第１フランジ部を有し、内筒の一方の端部に装着される第１筒部と、第２フランジ部を有し、内筒の他方の端部に装着される第２筒部と、を備え、テープを巻き取る巻取り機構が知られている。ユーザーは、テープの巻取り開始に先立ち、テープの幅に合わせて、第２フランジ部を内筒に対して軸心方向に移動させる。
【先行技術文献】
【特許文献】
【０００３】
【特許文献１】特開２０１５−０６６９１３号公報
【発明の概要】
【発明が解決しようとする課題】
【０００４】
従来のリボン巻取り機構では、ユーザーが、第２筒部を、テープの幅に対応した位置へ正確に移動させる必要がある。このため、第２筒部の位置を調整する操作が煩雑になる、という課題がある。
【課題を解決するための手段】
【０００５】
本発明の巻取り装置は、連続媒体が巻き取られる巻取りコア部と、巻取りコア部に設けられた第１フランジ部と、係合部と、巻取りコア部に巻き取られる連続媒体を第１フランジ部との間で連続媒体の幅方向にガイドする第２フランジ部と、を有し、巻取りコア部の延在方向に移動可能な移動体と、巻取りコア部に設けられ、係合部と係合して移動体を巻取りコア部の延在方向に位置決めする位置決め部と、移動体が、係合部が位置決め部と係合する位置よりも第１フランジ部に近づいたときに、移動体に対して第１フランジ部から遠ざかる方向に力を付与し、係合部が位置決め部と係合する位置まで、移動体を遠ざかる方向に移動させる弾性部材と、を備えた。
【図面の簡単な説明】
【０００６】
【図１】テープ印刷装置と巻取り装置とを備えた印刷システムの斜視図である。
【図２】テープ印刷装置と巻取り装置とを備えた印刷システムを、図１とは別の角度から見た斜視図である。
【図３】幅の異なる複数種のテープを示す図である。
【図４】巻取り本体の斜視図である。
【図５】巻取り本体を、図４とは別の角度から見た斜視図である。
【図６】巻取り本体を＋Ｚ側から見た図である。
【図７】巻取り本体および巻取り取付体の断面図であって、係合部が第１位置決め部に係合した状態を示す図である。
【図８】巻取り取付体を、Ｚ方向と直交する方向から見た図である。
【図９】巻取り本体および巻取り取付体の断面図であって、係合部が第２位置決め部の＋Ｚ側と接した状態を示す図である。
【発明を実施するための形態】
【０００７】
以下、添付の図面を参照しつつ、テープ印刷装置と巻取り装置とを備えた印刷システムの一実施形態について説明する。なお、以下の図面では、ＸＹＺ直交座標系を表示するが、説明の便宜上のものにすぎず、以下の実施形態を何ら限定するものではない。また、各部の個数などを示す数値は、いずれも例示にすぎず、以下の実施形態を何ら限定するものではない。
【０００８】
［テープ印刷装置および巻取り装置の概要］
図１および図２に基づいて、印刷システムＳｙを構成するテープ印刷装置１０１および巻取り装置２０１の概要について説明する。テープ印刷装置１０１は、テープ４０１に印刷を行い、印刷が行われたテープ４０１を巻取り装置２０１に送る。巻取り装置２０１は、テープ印刷装置１０１から送られたテープ４０１を巻き取る。なお、テープ４０１は、「連続媒体」の一例である。
【０００９】
テープ印刷装置１０１は、装置ケース１０３と、装着部カバー１０５とを備えている。装置ケース１０３は、略直方体状に形成されている。装置ケース１０３には、＋Ｘ側の面にテープ導入口１０７が設けられ、−Ｘ側の面にテープ排出口１０９が設けられている。テープ導入口１０７には、テープ印刷装置１０１外からテープ４０１が導入される。テープ排出口１０９からは、印刷が行われたテープ４０１が排出される。また、装置ケース１０３の＋Ｚ側の面には、カートリッジ装着部（図示省略）が設けられている。装着部カバー１０５は、カートリッジ装着部を開閉する。カートリッジ装着部には、インクリボンが収容されたリボンカートリッジ（図示省略）が着脱可能に装着される。
【００１０】
装置ケース１０３内には、図示省略したが、プラテン軸と、サーマルヘッドと、送りモーターとが設けられている。プラテン軸には、プラテンローラーが回転可能に装着される。送りモーターが作動すると、プラテンローラーが回転し、サーマルヘッドとプラテンローラーとの間に挟持されたテープ４０１およびインクリボンが送られる。このとき、サーマルヘッドが発熱することにより、テープ４０１に印刷が行われる。
【００１１】
巻取り装置２０１は、テープ印刷装置１０１のテープ排出口１０９側に設置される。巻取り装置２０１は、基台部２０３と、巻取り部２０５と、巻取りガイド部２０７とを備えている。
【００１２】
基台部２０３は、テープ印刷装置１０１の装置ケース１０３よりもＺ方向の寸法が小さい、略直方体状に形成されている。なお、基台部２０３の＋Ｚ側の面には、ダイヤル２０８が回転可能に設けられている。
【００１３】
巻取り部２０５には、テープ印刷装置１０１から送られたテープ４０１が、テープ４０１の幅方向がＺ方向となる姿勢で、巻き取られる。巻取り部２０５は、巻取り本体２０９と、巻取り取付体２１１とを備えている。巻取り本体２０９は、基台部２０３の＋Ｚ側の面に回転可能に設けられている。巻取り取付体２１１は、巻取り本体２０９に着脱可能に取り付けられ、巻取り本体２０９と一体に回転する。
【００１４】
巻取り本体２０９は、巻取りコア部２１３と、第１フランジ部２１５とを備えている。巻取り本体２０９は、第１フランジ部２１５が基台部２０３の＋Ｚ側の面に設けられた円形開口２１７に埋め込まれるようにして、基台部２０３に設けられている。巻取り本体２０９は、上記のダイヤル２０８が回転することで、Ｚ方向に移動する。
【００１５】
巻取り取付体２１１は、第２フランジ部２１９を備えている。第１フランジ部２１５および第２フランジ部２１９は、略円板状に形成されている。巻取り取付体２１１は、第２フランジ部２１９が第１フランジ部２１５とＺ方向に向かい合うようにして、巻取り本体２０９に取り付けられる。テープ印刷装置１０１から送られたテープ４０１は、第１フランジ部２１５および第２フランジ部２１９によりテープ４０１の幅方向にガイドされながら、巻取りコア部２１３に巻き取られる。なお、巻取りコア部２１３には、紙管等のテープコアが装着されることなく、テープ４０１が直接巻き取られる。
【００１６】
巻取りガイド部２０７は、基台部２０３の＋Ｚ側の面に設けられている。巻取りガイド部２０７は、テープ印刷装置１０１のテープ排出口１０９から巻取り部２０５に送られるテープ４０１をガイドする。巻取りガイド部２０７は、第１ガイドローラー２２１と、摩擦部材２２３と、第２ガイドローラー２２５と、ガイド壁２２６とを備えている。第１ガイドローラー２２１は、テープ排出口１０９から摩擦部材２２３へ送られるテープ４０１をガイドする。摩擦部材２２３は、テープ４０１に摩擦抵抗を付与することにより、テープ４０１が巻取り部２０５側に引っ張られることを抑制する。第２ガイドローラー２２５は、摩擦部材２２３から巻取り部２０５へ送られるテープ４０１をガイドする。ガイド壁２２６は、第１ガイドローラー２２１から摩擦部材２２３へ送られるテープ４０１が、巻取り部２０５側へ弛むことを阻止する。
【００１７】
［テープ］
図３に基づいて、テープ４０１について説明する。テープ４０１には、幅の異なる複数種のものがあり、例えば、９ｍｍ幅、１２ｍｍ幅、１８ｍｍ幅、２４ｍｍ幅および３６ｍｍ幅および５０ｍｍ幅の６種類が含まれる。このうち、９ｍｍ幅、１２ｍｍ幅、１８ｍｍ幅および２４ｍｍの４種類については、テープ印刷装置１０１において、テープ４０１の幅方向における中心位置が略一致するようにして、送られる。このため、テープ４０１の幅方向の両端の位置が、テープ４０１の幅ごとに異なっている。また、幅３６ｍｍ幅および５０ｍｍ幅のテープ４０１については、テープ４０１の幅方向の両端の位置が、他のテープ４０１のいずれとも異なっている。そのため、ユーザーは、第１フランジ部２１５がテープ４０１の幅に応じた位置にくるように、ダイヤル２０８を操作して巻取り本体２０９をＺ方向に移動させる。また、詳細は後述するが、ユーザーは、巻取り取付体２１１を巻取り本体２０９に取り付ける際に、第２フランジ部２１９がテープ４０１の幅に応じた位置にくるように、第２フランジ部２１９のＺ方向における位置、すなわち第１フランジ部２１５との間隔、を調整する。
【００１８】
［巻取り本体］
図４ないし図７に基づいて、巻取り本体２０９について説明する。巻取り本体２０９は、上述したように、巻取りコア部２１３と、第１フランジ部２１５とを備えている。
【００１９】
第１フランジ部２１５は、巻取りコア部２１３の−Ｚ側の端部に設けられている。第１フランジ部２１５と巻取りコア部２１３とは、一体に形成されている。第１フランジ部２１５の中心には、軸挿入穴２３９が設けられている。軸挿入穴２３９には、Ｚ方向に延在する巻取り軸２４１が挿入されている。巻取り本体２０９は、巻取り軸２４１に、回転可能、且つ、Ｚ方向に移動可能に、支持されている。
【００２０】
第１フランジ部２１５は、＋Ｚ側の非歯車部２４３と、−Ｚ側のフランジ歯車部２４５とを備えている。フランジ歯車部２４５は、出力歯車（図示省略）と噛み合っている。出力歯車には、テープ印刷装置１０１に備えられた送りモーターの動力が伝達される。すなわち、巻取り部２０５は、送りモーターを駆動源として回転する。なお、巻取り部２０５は、巻取り装置２０１に備えられたモーターを駆動源として回転する構成でもよい。
【００２１】
巻取りコア部２１３は、Ｚ方向に延在する略円柱状に形成されている。巻取りコア部２１３には、ロッド挿入部２２７と、切欠き部２２９と、テープ挿入部２３１と、２つの位置決め部形成面２３３とが設けられている。
【００２２】
ロッド挿入部２２７は、＋Ｚ側から見て、巻取りコア部２１３の略中心に設けられている。ロッド挿入部２２７は、Ｚ方向に延在する空間であり、＋Ｚ側から見て、円の一部を直線状に切り欠いた形状に形成されている。ロッド挿入部２２７には、巻取り本体２０９に巻取り取付体２１１が取り付けられる際に、巻取り取付体２１１のロッド部２５５が＋Ｚ側から挿入される。ロッド挿入部２２７は、「挿入部」の一例であり、ロッド部２５５は、「挿入体」の一例である。
【００２３】
切欠き部２２９は、Ｚ方向に延在する空間であり、＋Ｚ側から見て、巻取りコア部２１３の周方向における一部が略扇形状に切り欠かれた形状に形成されている。切欠き部２２９は、＋Ｚ側から見て、径方向内側においてロッド挿入部２２７に連なっている。切欠き部２２９には、巻取り本体２０９に巻取り取付体２１１が取り付けられる際に、巻取り取付体２１１の切欠き補完部２４９（図８参照）が＋Ｚ側から挿入される。巻取り終了後、巻取り本体２０９から巻取り取付体２１１が取り外されると、切欠き部２２９から切欠き補完部２４９が引き抜かれるため、切欠き部２２９が露呈する。これにより、ユーザーは、切欠き部２２９に指を入れ、巻取りコア部２１３に巻き取られたテープ４０１を摘むことができるため、テープ４０１を巻取りコア部２１３から容易に取り外すことができる。
【００２４】
テープ挿入部２３１は、＋Ｚ側から見て、ロッド挿入部２２７に対して切欠き部２２９とは反対側に設けられている。テープ挿入部２３１は、Ｚ方向に延在する空間であり、＋Ｚ側から見て、略長方形状に形成されている。また、巻取りコア部２１３の周面には、Ｚ方向に延在するスリット状のテープ挿入口２３５が設けられている。テープ挿入口２３５は、＋Ｚ側から見て、テープ挿入部２３１の長手方向の一方の端部に連なっている。
【００２５】
テープ４０１の巻取りに先立って、巻取りコア部２１３に巻き取られるテープ４０１の先端部が、ユーザーによりテープ挿入口２３５からテープ挿入部２３１に挿入される。テープ挿入部２３１には、巻取り本体２０９に巻取り取付体２１１が取り付けられる際に、巻取り取付体２１１のテープ押え突起２７１（図８参照）が＋Ｚ側から挿入される。これにより、テープ挿入部２３１に挿入されたテープ４０１の先端部が、テープ挿入部２３１内に固定される。また、巻取り本体２０９から巻取り取付体２１１が取り外される際に、テープ押え突起２７１がテープ挿入部２３１から引き抜かれると、テープ４０１の先端部の固定状態が解除される。これにより、巻取りコア部２１３に巻き取られたテープ４０１を、巻取りコア部２１３から容易に取り外すことができる。なお、テープ挿入部２３１は、「媒体挿入部」の一例である。
【００２６】
２つの位置決め部形成面２３３は、＋Ｚ側から見て、巻取りコア部２１３の中心を対称中心として、互いに略点対称となる位置に設けられている。すなわち、各位置決め部形成面２３３は、＋Ｚ側から見て、巻取りコア部２１３の周方向において、切欠き部２２９とテープ挿入口２３５との間に設けられている。
【００２７】
図７に示すように、各位置決め部形成面２３３には、５つの位置決め部２３７がＺ方向に非等間隔で形成されている。各位置決め部２３７は、位置決め部形成面２３３から楔状に突出している。５つの位置決め部２３７は、１２ｍｍ幅から５０ｍｍ幅までの５種類のテープ４０１の幅に対応した位置に設けられている。以下では、５つの位置決め部２３７を、＋Ｚ側から順に、第１位置決め部２３７ａ、第２位置決め部２３７ｂ、第３位置決め部２３７ｃ、第４位置決め部２３７ｄ、および第５位置決め部２３７ｅという。また、これらを区別する必要がないときには、単に「位置決め部２３７」という。
【００２８】
位置決め部２３７には、巻取り取付体２１１に設けられた係合部２７９が係合する。位置決め部２３７に係合部２７９が係合することで、巻取り取付体２１１の第２フランジ部２１９が、巻取りコア部２１３に対して、テープ４０１の幅に応じた位置に位置決めされる。例えば、１２ｍｍ幅のテープ４０１が巻き取られる際には、ユーザーは、最も第１フランジ部２１５の近くに設けられた第５位置決め部２３７ｅに係合部２７９を係合させる。位置決め部２３７に係合部２７９が係合し、第２フランジ部２１９がテープ４０１の幅に応じた位置に位置決めされた状態では、第２フランジ部２１９とテープ４０１との間には、例えば約３ないし４ｍｍの間隙が生じる。なお、９ｍｍ幅のテープ４０１が巻き取られる際には、ユーザーは、１２ｍｍ幅のテープ４０１が巻き取られる際と同様に、第５位置決め部２３７ｅに係合部２７９を係合させる。上述したように、テープ４０１の巻取りに先立って、巻取りコア部２１３に巻き取られるテープ４０１の先端部が、ユーザーによりテープ挿入口２３５からテープ挿入部２３１に挿入される。９ｍｍ幅のテープ４０１の先端部が、ユーザーによってテープ挿入部２３１に挿入され、さらにテープ挿入部２３１にテープ押え突起２７１が挿入されると、テープ４０１の幅方向において、第１フランジ２１５部側の縁部は、第１フランジ部２１５に近接、または接触した状態となる。この場合は、第２フランジ部２１９とテープ４０１との間隔は、例えば約６ないし７ｍｍとなる。
【００２９】
５つの位置決め部２３７は、鋸歯状のラチェット歯とは異なり、係合部２７９が位置決め部２３７の相互間でＺ方向に移動可能な程度に、それぞれが間隔をあけて設けられている。すなわち、５つの位置決め部２３７のうちの一の位置決め部２３７が係合部２７９と係合した状態では、その位置決め部２３７の−Ｚ側に位置する位置決め部２３７は、係合部２７９とは接してしない。例えば、図７に示したように、第１位置決め部２３７ａが係合部２７９と係合した状態では、第２位置決め部２３７ｂは、係合部２７９とは接していない。
【００３０】
［巻取り取付体］
図７および図８に基づいて、巻取り取付体２１１について説明する。巻取り取付体２１１は、ロッド部２５５と、切欠き補完部２４９と、移動体２５１と、２つのレバー２５３と、フランジ持上げバネ２５４とを備えている。
【００３１】
ロッド部２５５は、Ｚ方向に延在する略円筒状に形成されている。ロッド部２５５は、巻取り本体２０９に巻取り取付体２１１が取り付けられる際に、巻取り本体２０９のロッド挿入部２２７に＋Ｚ側から挿入される。ロッド部２５５内には、フランジ持上げバネ２５４が収容されるバネ収容部２５６が設けられている。バネ収容部２５６は、＋Ｚ側が開放されており、＋Ｚ側から後述するバネ嵌装部２７３が挿入されている。ロッド部２５５の＋Ｚ側の端部には、切欠き補完部２４９が取り付けられている。
【００３２】
切欠き補完部２４９は、Ｚ方向に延在する略扇形柱状に形成されている。すなわち、切欠き補完部２４９は、＋Ｚ側から見て、切欠き部２２９と略相似する略扇形状に形成されている。切欠き補完部２４９は、巻取り本体２０９に巻取り取付体２１１が取り付けられる際に、空間としての切欠き部２２９を略埋めるように＋Ｚ側から挿入される。上述したように、巻取りコア部２１３には、テープコアは装着されない。このため、テープ４０１は、巻取りコア部２１３および切欠き補完部２４９の周面に巻き取られる。
【００３３】
移動体２５１は、円筒部２６７と、円筒部２６７の−Ｚ側の端部に設けられた第２フランジ部２１９とを備えている。第２フランジ部２１９は、上述したように、巻取りコア部２１３に巻き取られるテープ４０１を、第１フランジ部２１５との間でテープ４０１の幅方向にガイドする。なお、第２フランジ部２１９は、透光性であることが好ましい。これにより、ユーザーは、巻取り取付体２１１を巻取り本体２０９に取り付ける際に、先端部がテープ挿入部２３１に挿入されたテープ４０１を、＋Ｚ側から第２フランジ部２１９越しに視認することができる。このため、ユーザーが、移動体２５１を−Ｚ側に移動させすぎて第２フランジ部２１９によりテープ４０１を押しつぶしてしまうことを、抑制することができる。本実施形態では、第２フランジ部２１９は、円筒部２６７と共に、透光性の材料で構成されている。
【００３４】
円筒部２６７は、＋Ｚ側が閉塞された略円筒状に形成されている。円筒部２６７には、ロッド部２５５が−Ｚ側から挿入されており、ロッド部２５５の＋Ｚ側が円筒部２６７に対してスライド可能に保持されている。換言すれば、移動体２５１は、ロッド部２５５がロッド挿入部２２７に挿入された状態で、ロッド部２５５に対し、巻取りコア部２１３の延在方向すなわちＺ方向に移動可能に構成されている。
【００３５】
円筒部２６７の＋Ｚ側の壁部の内面からは、ロッド被覆部２６９と、テープ押え突起２７１と、バネ嵌装部２７３とが、−Ｚ側に突出している。ロッド被覆部２６９およびテープ押え突起２７１は、円筒部２６７のＺ方向の寸法よりも長く、バネ嵌装部２７３は、円筒部２６７のＺ方向の寸法よりも短い。そのため、ロッド被覆部２６９の先端およびテープ押え突起２７１の先端は、第２フランジ部２１９よりも−Ｚ側に位置しているが、バネ嵌装部２７３の先端は、第２フランジ部２１９よりも＋Ｚ側に位置している。
【００３６】
ロッド被覆部２６９は、ロッド部２５５の＋Ｚ側の端部の外周面を覆っている。テープ押え突起２７１は、巻取り本体２０９に巻取り取付体２１１が取り付けられる際に、巻取り本体２０９のテープ挿入部２３１に＋Ｚ側から挿入される。バネ嵌装部２７３は、細い円筒状に形成されており、バネ嵌装部２７３の先端は、＋Ｚ側からバネ収容部２５６内に挿入されている。バネ嵌装部２７３には、フランジ持上げバネ２５４の＋Ｚ側の端部が嵌められている。
【００３７】
また、円筒部２６７の外周面には、２つのレバー支持部２７５が設けられている。２つのレバー支持部２７５は、巻取りコア部２１３に設けられた２つの位置決め部形成面２３３と対応する位置に設けられている。レバー支持部２７５には、レバー２５３が回動可能に支持されている。
【００３８】
レバー２５３は、Ｚ方向の略中間位置に設けられたレバー回転軸２５９を中心として、回動可能にレバー支持部２７５に支持されている。レバー２５３の＋Ｚ側の端部には、指掛け部２７７が設けられ、レバー２５３の−Ｚ側の端部には、フック状の係合部２７９が設けられている。レバー２５３は、レバーバネ２６１により、係合部２７９が位置決め部２３７と係合する方向に、力が付与されている。レバーバネ２６１としては、例えば、レバー２５３の指掛け部２７７側に設けられた、圧縮コイルバネを用いることができる。ユーザーが、２つのレバー２５３を、レバーバネ２６１に抗して指掛け部２７７同士が互いに近づくように操作すると、係合部２７９が位置決め部２３７とは係合しない非係合位置に移動する。一方、ユーザーが２つのレバー２５３から指を離すと、係合部２７９が位置決め部２３７と係合する係合位置に移動する。ユーザーは、移動体２５１を巻取りコア部２１３に対して移動させる際に、レバー２５３を操作して係合部２７９を非係合位置に移動させる。これにより、移動体２５１の移動中に係合部２７９が位置決め部２３７に当たることが抑制され、移動体２５１をスムーズに移動させることができる。
【００３９】
フランジ持上げバネ２５４は、上述したように、バネ収容部２５６に収容されており、＋Ｚ側の端部がバネ嵌装部２７３に嵌められている。すなわち、フランジ持上げバネ２５４は、Ｚ方向に延在しており、フランジ持上げバネ２５４の−Ｚ側の端部は、バネ収容部２５６の底面である収容部底面２５６ａと接し、フランジ持上げバネ２５４の＋Ｚ側の端部は、円筒部２６７の＋Ｚ側の壁部の内面である円筒部内面２６７ａと接している。フランジ持上げバネ２５４としては、例えば、圧縮コイルバネを用いることができる。フランジ持上げバネ２５４の長さは、なるべく長い方が好ましい。これにより、フランジ持上げバネ２５４のバネ定数が小さくなるため、最も第１フランジ部２１５から遠い第１位置決め部２３７ａに係合部２７９が係合したときの弾性力と、最も第１フランジ部２１５に近い第５位置決め部２３７ｅに係合部２７９が係合したときの弾性力と、の差が小さくなり、操作性を向上させることができる。なお、フランジ持上げバネ２５４は、「弾性部材」の一例である。
【００４０】
［フランジ持上げバネ］
図７および図９に基づいて、ユーザーが巻取り取付体２１１を巻取り本体２０９に取り付ける際におけるフランジ持上げバネ２５４の機能について説明する。ここでは、例として、最も幅の広いテープ４０１が巻き取られるものとする。まず、ユーザーは、テープ４０１の先端部をテープ挿入部２３１に挿入した後、ロッド部２５５をロッド挿入部２２７に挿入する。ユーザーは、ロッド部２５５がロッド挿入部２２７の底面である挿入部底面２２７ａに突き当たった後、係合部２７９が第１位置決め部２３７ａと係合するように、フランジ持上げバネ２５４を弾性変形すなわち圧縮させながら、移動体２５１を第１フランジ部２１５に近づく方向すなわち−Ｚ方向に移動させる。このとき、図９に示すように、ユーザーは、係合部２７９が第１位置決め部２３７ａと係合する位置よりも−Ｚ側に、より具体的には第２位置決め部２３７ｂの＋Ｚ側と接する位置に、移動体２５１を移動させたものとする。圧縮したフランジ持上げバネ２５４は、移動体２５１に対して、第１フランジ部２１５から遠ざかる方向、すなわち＋Ｚ方向に力を付与する。
【００４１】
この状態から、ユーザーが移動体２５１から手を離すと、図７に示すように、圧縮したフランジ持上げバネ２５４により、係合部２７９が第１位置決め部２３７ａと係合する位置まで、移動体２５１が＋Ｚ方向に移動する。すなわち、移動体２５１が、最も幅の広いテープ４０１に応じた位置に移動する。移動体２５１は、係合部２７９が第１位置決め部２３７ａと係合する位置まで移動すると、それ以上＋Ｚ方向に移動しない。
【００４２】
このように、ユーザーが、係合部２７９が位置決め部２３７と係合する位置よりも移動体２５１を第１フランジ部２１５に近づけた場合にも、ユーザーが移動体２５１から手を離すと、フランジ持上げバネ２５４により、係合部２７９が位置決め部２３７と係合する位置まで、移動体２５１が自動的に移動する。したがって、ユーザーは、係合部２７９がテープ４０１の幅に対応した位置決め部２３７と係合する位置まで正確に移動体２５１を移動させる必要がなく、係合部２７９が位置決め部２３７と係合する位置よりも−Ｚ側に移動体２５１を移動させた後、移動体２５１から手を離せばよい。ゆえに、ユーザーは、テープ４０１の幅に応じて移動体２５１を移動させる操作を、簡易に行うことができる。本実施形態では、上述したように、巻取りコア部２１３にテープコアが装着されないため、テープコアの端面に第２フランジ部２１９を押し当てることで第２フランジ部２１９のＺ方向における位置を調整することができないことから、本実施形態の構成が特に有用である。
【００４３】
また、上述したように、５つの位置決め部２３７は、それぞれが間隔をあけて設けられており、５つの位置決め部２３７のうちの一の位置決め部２３７が係合部２７９と係合した状態では、その位置決め部２３７の−Ｚ側に位置する位置決め部２３７は、係合部２７９とは接してしない。このため、係合部２７９は、一の位置決め部２３７と係合した状態では、一の位置決め部２３７の−Ｚ側に位置する位置決め部２３７によって支持されてはいない。もっとも、本実施形態では、フランジ持上げバネ２５４により移動体２５１に対して＋Ｚ方向に力が付与されている。このため、巻取り動作中に移動体２５１に対して振動等が加わった場合にも、移動体２５１が−Ｚ方向に位置ずれすることを抑制することができる。
【００４４】
［その他の変形例］
上記の実施形態に限定されず、その趣旨を逸脱しない範囲で種々の構成を採用可能であることは言うまでもない。例えば、上記の実施形態は、上述したほか、以下のような形態に変更することができる。
【００４５】
第２フランジ部２１９は、巻取りコア部２１３から取り外し可能な構成に限定されず、巻取りコア部２１３から取り外し不能な構成でもよい。この場合、第１フランジ部２１５を、巻取りコア部２１３から取り外し可能な構成としてもよい。
【００４６】
巻取り装置２０１は、テープ印刷装置１０１と共に稼動する構成に限定されず、テープ印刷装置１０１以外の装置と共に稼動する構成でもよく、巻取り装置２０１単独で稼動する構成でもよい。また、巻取り装置２０１は、テープ印刷装置１０１と一体化された構成でもよい。すなわち、巻取り装置２０１は、テープ４０１に対して印刷を行う印刷部を備えた構成でもよい。
【００４７】
巻取り装置２０１が巻き取る「連続媒体」としては、本実施形態のテープ４０１のように、印刷が行われたものに限定されず、印刷が行われていないものでもよい。
【００４８】
［付記］
以下、巻取り装置について付記する。
巻取り装置は、連続媒体が巻き取られる巻取りコア部と、巻取りコア部に設けられた第１フランジ部と、係合部と、巻取りコア部に巻き取られる連続媒体を第１フランジ部との間で連続媒体の幅方向にガイドする第２フランジ部と、を有し、巻取りコア部の延在方向に移動可能な移動体と、巻取りコア部に設けられ、係合部と係合して移動体を巻取りコア部の延在方向に位置決めする位置決め部と、移動体が、係合部と位置決め部とが係合する位置よりも第１フランジ部に近づいたときに、移動体に対して第１フランジ部から遠ざかる方向に力を付与し、係合部と位置決め部とが係合する位置まで、移動体を遠ざかる方向に移動させる弾性部材と、を備えた。
【００４９】
この構成によれば、ユーザーが、係合部が位置決め部と係合する位置よりも移動体を第１フランジ部に近づけた場合にも、ユーザーが移動体から手を離すと、弾性部材により、係合部が位置決め部と係合する位置まで、移動体が自動的に移動する。したがって、ユーザーは、係合部が位置決め部と係合する位置まで正確に移動体を移動させる必要がなく、係合部が位置決め部と係合する位置よりも移動体を第１フランジ部に近づけた後、移動体から手を離せばよい。ゆえに、ユーザーは、第２フランジ部を有する移動体を連続媒体の幅に応じて移動させる操作を、簡易に行うことができる。
【００５０】
この場合、位置決め部は、巻取りコア部の延在方向に複数設けられ、複数の位置決め部は、係合部が複数の位置決め部の相互間で巻取りコア部の延在方向に移動可能な程度に、それぞれが間隔をあけて設けられていることが好ましい。
【００５１】
この構成によれば、係合部は、一の位置決め部と係合した状態では、一の位置決め部の第１フランジ部側に位置する位置決め部によって支持されてはいないが、弾性部材により移動体に対して遠ざかる方向に力が付与されているため、移動体が第１フランジ部側に位置ずれすることを抑制することができる。
【００５２】
この場合、係合部が設けられたレバー、を備え、レバーを操作することで、係合部が、位置決め部と係合する係合位置と、位置決め部と係合しない非係合位置と、に移動することが好ましい。
【００５３】
この構成によれば、移動体を巻取りコア部に対して移動させる際に、レバーを操作して係合部を非係合位置に移動させることで、移動中に係合部が位置決め部に当たることが抑制され、移動体をスムーズに移動させることができる。
【００５４】
この場合、移動体と、弾性部材と、挿入体と、を有し、巻取りコア部に対して着脱可能な巻取り取付体、を備え、巻取りコア部には、巻取りコア部の延在方向に延在し、巻取り取付体が巻取りコア部に取り付けられる際に、挿入体が挿入される挿入部、が設けられ、移動体は、挿入体が挿入部に挿入され、挿入部の底面に突き当たった後、弾性部材を弾性変形させながら、第１フランジ部に近づく方向に移動可能であることが好ましい。
【００５５】
この構成によれば、巻取り取付体を巻取りコア部に取り付ける操作、すなわち、挿入体を挿入部に挿入する操作に続けて、連続媒体の幅に応じて移動体を移動させる操作を行うことができる。
【００５６】
この場合、巻取りコア部には、連続媒体の先端部が挿入される媒体挿入部が設けられていることが好ましい。
【００５７】
この構成によれば、紙管等が巻取りコア部に装着されることなく、連続媒体が巻取りコア部に直接巻き取られる場合に、粘着テープ等を用いずとも、連続媒体の先端部を巻取りコア部に固定することができる。これにより、巻取りコア部に巻き取られた連続媒体を、巻取りコア部から容易に取り外すことができる。
【符号の説明】
【００５８】
２０１…巻取り装置、２１１…巻取り取付体、２１３…巻取りコア部、２１５…第１フランジ部、２１９…第２フランジ部、２２７…ロッド挿入部、２２７ａ…挿入部底面、２３１…テープ挿入部、２３７…位置決め部、２５１…移動体、２５３…レバー、２５４…フランジ持上げバネ、２５５…ロッド部、２７９…係合部、４０１…テープ。
【図１】
2020131555.tif 000003
【図２】
2020131555.tif 000004
【図３】
2020131555.tif 000005
【図４】
2020131555.tif 000006
【図５】
2020131555.tif 000007
【図６】
2020131555.tif 000008
【図７】
2020131555.tif 000009
【図８】
2020131555.tif 000010
【図９】
2020131555.tif 000011